(57)【要約】【課題】筐体に形成されたホルダ挿入口と筐体内に収容された装置との位置ずれを吸収するとともに、筐体内にホルダ挿入口から塵埃が進入するのを抑制する。【解決手段】操作部５２が、コネクタ３に対するホルダ本体５１の挿入方向Ｙ、ホルダ本体５１に保持されたカード２０の厚さ方向Ｚ、及び挿入方向Ｙと厚さ方向Ｚとに直交するホルダ本体５１の幅方向Ｘへ移動できるように、操作部５２を弾性部材５３を介してホルダ本体５１の端部に連結した。【選択図】図２
2014225084.tif 000002
【特許請求の範囲】
【請求項１】
少なくとも記憶部を有する板状のデバイスを保持するホルダ本体と、前記ホルダ本体の端部に連結される操作部とを備え、
筐体内に固定される装置に前記筐体に形成されたホルダ挿入口を通じて前記ホルダ本体が挿入されたとき、前記操作部が前記ホルダ挿入口に収容されるホルダにおいて、
前記操作部が、前記装置に対する前記ホルダ本体の挿入方向、前記ホルダ本体に保持された前記デバイスの厚さ方向、及び前記挿入方向と前記厚さ方向とに直交する前記ホルダ本体の幅方向のうち少なくとも一方向へ移動できるように、前記操作部が弾性部材を介して前記ホルダ本体の端部に連結されている
ことを特徴とするホルダ。
【請求項２】
前記ホルダ本体は前記弾性部材を支持する突起部を有し、前記操作部は前記弾性部材を包囲する包囲部を有している
ことを特徴とする請求項１記載のホルダ。
【請求項３】
前記弾性部材の中心部に前記突起部を受け容れる突起部受容孔が形成され、前記弾性部材の前記幅方向における両端部に変形容易部が形成されている
ことを特徴とする請求項２記載のホルダ。
【請求項４】
前記板状のデバイスがメモリカードであり、前記筐体に固定される前記装置がコネクタである
ことを特徴とする請求項１〜３のいずれか１項記載のホルダ。
【請求項５】
前記板状のデバイスがＩＣカードであり、前記筐体に固定される前記装置がコネクタである
ことを特徴とする請求項１〜３のいずれか１項記載のホルダ。
【請求項６】
前記板状のデバイスが円板状の記憶媒体であり、前記筐体に固定される前記装置が少なくとも前記記憶媒体に格納された情報を読み出す機能を有する駆動装置である
ことを特徴とする請求項１〜３のいずれか１項記載のホルダ。
【請求項７】
カードを保持するホルダ本体と、前記ホルダ本体の端部に連結される操作部とを有するホルダと、
筐体内に固定され、前記筐体に形成されたホルダ挿入口を通じて前記ホルダ本体を受け容れるコネクタとを備え、
前記ホルダ挿入口を通じて前記ホルダ本体が前記コネクタに挿入されたとき、前記操作部が前記ホルダ挿入口に収容されるコネクタ装置において、
前記操作部が、前記コネクタに対する前記ホルダ本体の挿入方向、前記ホルダ本体に保持された前記カードの厚さ方向、及び前記挿入方向と前記厚さ方向とに直交する前記ホルダ本体の幅方向のうち少なくとも一方向へ移動できるように、前記操作部が弾性部材を介して前記ホルダ本体の端部に連結されている
ことを特徴とするコネクタ装置。
【請求項８】
前記ホルダ本体は前記弾性部材を支持する突起部を有し、前記操作部は前記弾性部材を包囲する包囲部を有している
ことを特徴とする請求項７記載のコネクタ装置。
【請求項９】
前記弾性部材の中心部に前記突起部を受け容れる突起部受容孔が形成され、前記弾性部材の前記幅方向における両端部に変形容易部が形成されている
ことを特徴とする請求項８記載のコネクタ装置。
【発明の詳細な説明】
【技術分野】
【０００１】
この発明は、例えばメモリカードやＩＣカード等の板状のデバイスを保持するホルダ及びそのホルダを備えるコネクタ装置に関する。
【背景技術】
【０００２】
従来のホルダとして、図１２、図１３、図１４に示すように、モジュール９３０を保持するトレイ９２０が知られている(下記特許文献１参照)。
【０００３】
なお、図１２〜図１８は下記特許文献１の図１、図２、図４、図５、図６、図９、図１０にそれぞれ対応する。但し、図中の符号は変更され、一部の符号は削除されている。
【０００４】
図１３、図１４に示すように、トレイ９２０は、ボディ部９２２と、ボディ部９２２の一端に位置する端部９２１、ボディ部９２２の他端に位置する端部９２３と、モジュール９３０を収容するモジュールホルダ部９２４と、モジュールホルダ部９２４内のモジュール９３０を保持する保持部９２６とを備えている。モジュールホルダ部９２４はボディ部９２２に形成されている。モジュールホルダ部９２４にはスルーホール９２７が形成されている。
【０００５】
トレイ９２０は、パーソナル電子機器９１０の筐体９１８内に挿入される（図１２、図１５、図１６参照）。筐体９１８内には回路基板９１１が収容され、回路基板９１１にはコネクタ９４０が搭載されている（図１５〜図１８参照）。
【０００６】
筐体９１８には、トレイ９２０を筐体９１８内に挿入するための開口９１９が形成されている（図１２、図１５、図１６参照）。
【０００７】
図１５〜図１８に示すように、トレイ９２０を開口９１９を通じて筐体９１８内に完全に挿入すると、トレイ９２０の端部９２１は開口９１９に収容される。このとき、トレイ９２０の端部９２１の外周面９２１ａ（図１５参照）と筐体９１８の開口９１９の内周面９１９ａ（図１５参照）との隙間は小さい（図１６〜図１８参照）。
【０００８】
図１６に示すように、トレイ９２０が筐体９１８内に完全に挿入されると、トレイ９２０が一対のトレイリテーナ９４６Ａ,９４６Ｂによって挟まれるように保持される。このとき、一方のトレイリテーナ９４６Ａのアーム９４８Ａの自由端側にあるヘッド部９４９Ａがトレイ９２０の一方の溝９２９Ａに引っかかっており、他方のトレイリテーナ９４６Ｂのアーム９４８Ｂの自由端側にあるヘッド部９４９Ｂがトレイ９２０の他方の溝９２９Ｂに引っかかっている。また、トレイ９２０の端部９２３は検出素子９４４に接触している。
【０００９】
図１８に示すように、モジュールホルダ部９２４内のモジュール９３０の電子回路素子９３２はカップリング回路素子９１７を介して回路基板９１１に電気的に接続される。
【先行技術文献】
【特許文献】
【００１０】
【特許文献１】米国特許７，８６５，２１０号公報（図１、図２、図４、図５、図６、図９、図１０等）
【発明の概要】
【発明が解決しようとする課題】
【００１１】
ところが、例えば、筐体９１８の開口９１９に対して筐体９１８内のコネクタ９４０や回路基板９１１の位置がずれていると、トレイ９２０を開口９１９を通じて筐体９１８内に挿入したとき、トレイ９２０に対するコネクタ９４０や回路基板９１１の位置がトレイ９２０の幅方向９３９ｂ（トレイ９２０の挿入方向９３９とトレイ９２０の厚さ方向９３９ａとに直交する方向）でずれるので、モジュール９３０とカップリング回路素子９１７との接触信頼性が損なわれ、モジュール９３０と回路基板９１１との良好な電気的接続が確保されなくなるおそれがある。
【００１２】
これを回避するには、筐体９１８の開口９１９を、トレイ９２０のボディ部９２２や端部９２３よりも、トレイ９２０の幅方向９３９ｂへ十分大きくすればよい。こうすることにより、筐体９１８の開口９１９に対する筐体９１８内のコネクタ９４０や回路基板９１１の位置ずれが吸収され、モジュール９３０と回路基板９１１との良好な電気的接続が確保される。
【００１３】
しかし、このように筐体９１８の開口９１９を大きくすると、トレイ９２０の端部９２１の外周面９２１ａ（図１５参照）と筐体９１８の開口９１９の内周面９１９ａ（図１５参照）との間に大きな隙間が生じ、この隙間を通じて外部から筐体９１８内に塵埃が進入するおそれがある。
【００１４】
この発明はこのような事情に鑑みてなされたもので、その課題は、筐体に形成されたホルダ挿入口と筐体内に収容された装置との位置ずれを吸収するとともに、筐体内にホルダ挿入口から塵埃が進入するのを抑制することである。
【課題を解決するための手段】
【００１５】
上述の課題を解決するため請求項１記載の発明は、少なくとも記憶部を有する板状のデバイスを保持するホルダ本体と、前記ホルダ本体の端部に連結される操作部とを備え、筐体内に固定される装置に前記筐体に形成されたホルダ挿入口を通じて前記ホルダ本体が挿入されたとき、前記操作部が前記ホルダ挿入口に収容されるホルダにおいて、前記操作部が、前記装置に対する前記ホルダ本体の挿入方向、前記ホルダ本体に保持された前記デバイスの厚さ方向、及び前記挿入方向と前記厚さ方向とに直交する前記ホルダ本体の幅方向のうち少なくとも一方向へ移動できるように、前記操作部が弾性部材を介して前記ホルダ本体の端部に連結されていることを特徴とする。
【００１６】
請求項２記載の発明は、請求項１記載のホルダにおいて、前記ホルダ本体は前記弾性部材を支持する突起部を有し、前記操作部は前記弾性部材を包囲する包囲部を有していることを特徴とする。
【００１７】
請求項３記載の発明は、請求項２記載のホルダにおいて、前記弾性部材の中心部に前記突起部を受け容れる突起部受容孔が形成され、前記弾性部材の前記幅方向における両端部に変形容易部が形成されていることを特徴とする。
【００１８】
請求項４記載の発明は、請求項１〜３記載のいずれか１項記載のホルダにおいて、前記板状のデバイスがメモリカードであり、前記筐体に固定される前記装置がコネクタであることを特徴とする。
【００１９】
請求項５記載の発明は、請求項１〜３記載のいずれか１項記載のホルダにおいて、前記板状のデバイスがＩＣカードであり、前記筐体に固定される前記装置がコネクタであることを特徴とする。
【００２０】
請求項６記載の発明は、請求項１〜３記載のいずれか１項記載のホルダにおいて、前記板状のデバイスが円板状の記憶媒体であり、前記筐体に固定される前記装置が少なくとも前記記憶媒体に格納された情報を読み出す機能を有する駆動装置であることを特徴とする。
【００２１】
請求項７記載の発明は、カードを保持するホルダ本体と、前記ホルダ本体の端部に連結される操作部とを有するホルダと、筐体内に固定され、前記筐体に形成されたホルダ挿入口を通じて前記ホルダ本体を受け容れるコネクタとを備え、前記ホルダ挿入口を通じて前記ホルダ本体が前記コネクタに挿入されたとき、前記操作部が前記ホルダ挿入口に収容されるコネクタ装置において、前記操作部が、前記コネクタに対する前記ホルダ本体の挿入方向、前記ホルダ本体に保持された前記カードの厚さ方向、及び前記挿入方向と前記厚さ方向とに直交する前記ホルダ本体の幅方向のうち少なくとも一方向へ移動できるように、前記操作部が弾性部材を介して前記ホルダ本体の端部に連結されていることを特徴とする。
【００２２】
請求項８記載の発明は、請求項７記載のコネクタ装置において、前記ホルダ本体は前記弾性部材を支持する突起部を有し、前記操作部は前記弾性部材を包囲する包囲部を有していることを特徴とする。
【００２３】
請求項９記載の発明は、請求項８記載のコネクタ装置において、前記弾性部材の中心部に前記突起部を受け容れる突起部受容孔が形成され、前記弾性部材の前記幅方向における両端部に変形容易部が形成されていることを特徴とする。
【発明の効果】
【００２４】
この発明によれば、筐体に形成されたホルダ挿入口と筐体内に収容された装置との位置ずれを吸収するとともに、筐体内にホルダ挿入口から塵埃が進入するのを抑制する。
【図面の簡単な説明】
【００２５】
【図１】図１はこの発明の一実施形態に係るコネクタ装置の斜視図である。
【図２】図２は図１に示すコネクタ装置のホルダの分解斜視図である。
【図３】図３は図１に示すコネクタ装置のホルダの底面図である。
【図４】図４は図３のIV-IV線に沿う断面図である。
【図５】図５は図３のＡ部の拡大図である。
【図６】図６は筐体のホルダ挿入口を通じてホルダをコネクタに接続し終えた状態を示す断面図である。
【図７】図７はホルダにカードが保持される前の状態を示す斜視図である。
【図８】図８は筐体のホルダ挿入口を通じてホルダをコネクタに接続する途中の状態を示す斜視図である。
【図９】図９は筐体のホルダ挿入口を通じてホルダをコネクタに接続し終えた状態を示す斜視図である。
【図１０】図１０は弾性部材のＸ方向圧縮変形部が弾性変形した状態を示す拡大図である。
【図１１】図１１は弾性部材のＹ方向圧縮変形部が弾性変形した状態を示す拡大図である。
【図１２】図１２は従来のトレイをパーソナル電子機器の筐体の開口に挿入している途中の状態を示す図である。
【図１３】図１３は図１２に示すトレイの平面図である。
【図１４】図１４は図１３に示すトレイのモジュールホルダ部にモジュールが収容されている状態を示す図である。
【図１５】図１５は図１２のパーソナル電子機器の横断面図であり、トレイをパーソナル電子機器の筐体の開口に挿入し始めた状態を示す図である。
【図１６】図１６は図１２のパーソナル電子機器の横断面図であり、パーソナル電子機器の筐体の開口を通じてトレイを筐体内に挿入し終えた状態を示す図である。
【図１７】図１７は図１６のＡ−Ａ線に沿う断面図である。
【図１８】図１８は図１６のＢ−Ｂ線に沿う断面図である。
【発明を実施するための形態】
【００２６】
以下、この発明の実施の形態を図面に基づいて説明する。
【００２７】
図１に示すように、コネクタ装置１は、コネクタ（装置）３と、コネクタ３にカード（板状のデバイス、図７参照）２０を保持した状態で接続されるホルダ５とを備えている。
【００２８】
コネクタ３は図８に示すように筐体２１内に固定されたプリント基板（基板）２２に実装されている。なお、この発明の実施形態の説明の便宜上、図８には筐体２１やプリント基板２２が部分的に示されている。コネクタ３は、ホルダ５に保持されたカード２０（図７参照）とプリント基板２２とを電気的に接続する。カード２０には、例えばＳＤ（Ｓｅｃｕｒｅ
Ｄｉｇｉｔａｌ）カードやＳＩＭ（Ｓｕｂｓｃｒｉｂｅｒ Ｉｄｅｎｔｉｔｙ Ｍｏｄｕｌｅ）カード（ＩＣチップの無いタイプ）等のメモリカード、ＩＣ（Ｉｎｔｅｇｒａｔｅｄ
Ｃｉｒｃｕｉｔ）カード等が含まれる。
【００２９】
コネクタ３は、樹脂製のハウジング（図示せず）と、ハウジングを覆う金属製のシェル３２(図１参照)と、ハウジングに保持されたコンタクト（図示せず）と、ホルダ５を筐体２１から外部へ脱出させるためのイジェクト機構３４（図１参照）とを備えている。この実施形態では、イジェクト機構３４として周知のイジェクト機構を用いたので、その詳しい説明を省略する。
【００３０】
図２、図３、図４に示すように、ホルダ５は、カード２０（図７参照）を保持するホルダ本体５１と、ホルダ本体５１の端部に連結される操作部５２と、ホルダ本体５１と操作部５２との間に介在する弾性部材５３とを備えている。ホルダ本体５１は例えば樹脂製である。操作部５２は例えば弾性変形可能な樹脂製である。ホルダ本体５１と操作部５２とは、例えばゴム製やエラストマ製の弾性部材５３を介して連結される。
【００３１】
図２に示すように、ホルダ本体５１は長方形の板状である。ホルダ本体５１には、カード２０（図７参照）が収容されるカード収容凹部５１ａと、弾性部材５３が収容される収容凹部５１ｂとが形成されている。収容凹部５１ｂはカード収容凹部５１ａより後側（ホルダ本体５１の挿入方向Ｙにおいてカード収容凹部５１ａの後側）に位置する。ホルダ本体５１の収容凹部５１ｂの底面には弾性部材５３を支持する突起部５１ｃが形成されている。突起部５１ｃはホルダ本体５１に保持されたカード２０の厚さ方向Ｚ（以下「カード２０の厚さ方向Ｚ」という）に沿って収容凹部５１ｂの底面から突出している。また、突起部５１ｃはホルダ本体５１の挿入方向Ｙとカード２０の厚さ方向Ｚとに直交するホルダ本体５１の幅方向Ｘ（以下「ホルダ本体５１の幅方向Ｘ」という）に沿って延びている。
【００３２】
また、収容凹部５１ｂの両側（カード２０の幅方向Ｘにおいて収容凹部５１ｂの両側）にはそれぞれ凹部５１ｄが形成されている。２つの凹部５１ｄは収容凹部５１ｂより浅い凹部である（図４参照）。２つの凹部５１ｄは後述する長方形の固定用プレート５４の両端部を受け容れる。
【００３３】
ホルダ本体５１のカード収容凹部５１ａと収容凹部５１ｂとの間には、コネクタ３のハウジングの一部分（図示せず）を受け容れる凹部５１ｅが形成されている。そのハウジングの一部分はコネクタ３（図１参照）のコンタクトの固定部（図示せず）を保持する部分である。凹部５１ｅはカード収容凹部５１ａや収容凹部５１ｂより浅い凹部である（図４参照）。
【００３４】
ホルダ本体５１の底面５１ｇには図２、図７に示すようにカード収容凹部５１ａへ突出する２つの突出片５１ｆが形成されている。突出片５１ｆはカード収容凹部５１ａに収容されたカード２０の一端部を支持する。
【００３５】
操作部５２は図２に示すように操作部本体５２ａと連結部５２ｂとを有する。操作部本体５２ａは長い板状であり、そのホルダ本体５１側の端面５２ｅの周縁部には誘い面５２ｃが形成されている。操作部本体５２ａの一端部には孔５２ｄが形成されている。
【００３６】
連結部５２ｂはほぼＵ字形であり、連結部５２ｂの両端部が操作部本体５２ａの端面５２ｅに固定される。操作部本体５２ａの端面５２ｅと連結部５２ｂの内周面とで、弾性部材５３を包囲する包囲部５６が構成される（図２、図５参照）。
【００３７】
図３に示すように、ホルダ本体５１の幅方向Ｘにおける連結部５２ｂの長さは、ホルダ本体５１の幅方向Ｘにおける収容凹部５１ｂの長さより短い。このため、連結部５２ｂは収容凹部５１ｂ内でホルダ本体５１の幅方向Ｘへ移動できる。ホルダ本体５１の挿入方向Ｙにおける連結部５２ｂの長さは、ホルダ本体５１の挿入方向Ｙにおける収容凹部５１ｂの長さにほぼ等しい。連結部５２ｂは弾性部材５３の後述するＹ方向圧縮変形部５３ｂ（図５参照）が圧縮されることにより、収容凹部５１ｂ内でホルダ本体５１の挿入方向Ｙへ移動可能である（図１１参照）。図４に示すように、カード２０の厚さ方向Ｚにおける連結部５２ｂの厚さは、カード２０の厚さ方向Ｚにおける収容凹部５１ｂの深さより小さい。このため、連結部５２ｂは収容凹部５１ｂ内でカード２０の厚さ方向Ｚへ移動できる。
【００３８】
図５に示すように、弾性部材５３の中心部には突起部受容孔５３ａが形成されている。突起部受容孔５３ａはホルダ本体５１の突起部５１ｃを受け容れる。ホルダ本体５１の挿入方向Ｙにおける弾性部材５３の突起部受容孔５３ａの前側にはＹ方向圧縮変形部５３ｂが形成されている。ホルダ本体５１の幅方向Ｘにおける弾性部材５３の両端部にはそれぞれＸ方向圧縮変形部５３ｃが形成されている。Ｘ方向圧縮変形部５３ｃには変形容易部５３ｄが形成されている。変形容易部５３ｄはホルダ本体５１の幅方向ＸにおけるＸ方向圧縮変形部５３ｃの弾性変形を容易にし、Ｘ方向圧縮変形部５３ｃの変形量を大きくするために孔形状に形成された部分である。
【００３９】
図３、図５に示すように、ホルダ本体５１の幅方向Ｘにおける弾性部材５３の両端面は連結部５２ｂの内周面に接触している。ホルダ本体５１の挿入方向Ｙにおける弾性部材５３の前面は連結部５２ｂの内周面に接触し、弾性部材５３の後面は操作部本体５２ａの端面５２ｅに接触している。弾性部材５３のＸ方向圧縮変形部５３ｃが弾性変形することにより、操作部５２はホルダ本体５１の幅方向Ｘへ移動する（図１０参照）。弾性部材５３のＹ方向圧縮変形部５３ｂが弾性変形することにより、操作部５２はホルダ本体５１の挿入方向Ｙへ移動する（図１１参照）。
【００４０】
上述のように、操作部５２は、ホルダ本体５１の挿入方向Ｙ、カード２０の厚さ方向Ｚ、及びホルダ本体５１の幅方向Ｘのいずれの方向へも移動できるように、弾性部材５３を介してホルダ本体５１の後端部に連結されている。
【００４１】
ホルダ５は長方形の固定用プレート５４を備えている（図２参照）。固定用プレート５４の両端部はホルダ本体５１の２つの凹部５１ｄに収容される。固定用プレート５４の両端部がホルダ本体５１の２つの凹部５１ｄに収容されたとき、固定用プレート５４の両端部はホルダ本体５１の２つの凹部５１ｄの底面に支持されるとともに、固定用プレート５４の中央部は突起部５１ｃに支持される。このとき、固定用プレート５４の表面５４ａとホルダ本体５１の底面５１ｇとの間に段差は生じない。固定用プレート５４の両端部はホルダ本体５１の２つの凹部５１ｄの底面に、固定用プレート５４の中央部はホルダ本体５１の突起部５１ｃの端面に、それぞれレーザ溶着により固定される。固定用プレート５４がホルダ本体５１に固定されると、弾性部材５３がホルダ本体５１の突起部５１ｃから抜けなくなるとともに、連結部５２ｂがホルダ本体５１の収容凹部５１ｂから抜けなくなる。
【００４２】
図６に示すように、筐体２１のホルダ挿入口２１１ａはホルダ本体５１の挿入方向Ｙへ筐体２１を貫く開口である。ホルダ挿入口２１１ａは、ホルダ本体５１をコネクタ３の開口（図示せず、ホルダ本体５１が挿入される部分）に挿入するための小開口部２１１ｃと、操作部本体５２ａを収容するための大開口部２１１ｂとを有する。
【００４３】
ホルダ本体５１の幅方向Ｘにおける小開口部２１１ｃの長さは、ホルダ本体５１の幅方向Ｘにおけるコネクタ３の開口の長さより長い。カード２０の厚さ方向Ｚにおける小開口部２１１ｃの長さは、カード２０の厚さ方向Ｚにおけるコネクタ３の開口の長さより長い。
【００４４】
ホルダ本体５１の幅方向Ｘにおける大開口部２１１ｂの長さは、ホルダ本体５１の幅方向Ｘにおける小開口部２１１ｃの長さより長い。カード２０の厚さ方向Ｚにおける大開口部２１１ｂの長さは、カード２０の厚さ方向Ｚにおける小開口部２１１ｃの長さに等しい。
【００４５】
ホルダ本体５１の幅方向Ｘにおける大開口部２１１ｂの長さは、ホルダ本体５１の幅方向Ｘにおける小開口部２１１ｃの長さより長いので、筐体２１の小開口部２１１ｃの両側（ホルダ本体５１の幅方向Ｘにおける小開口部２１１ｃの両側）にそれぞれ段差面２１１ｄが形成される（図６参照）。２つの段差面２１１ｄはホルダ本体５１の幅方向Ｘにおける操作部本体５２ａの端面５２ｅの両端部を支持する。筐体２１の一方の段差面２１１ｄには孔２１１ｅが形成されている。ホルダ本体５１の挿入方向Ｙにおいて孔２１１ｅと操作部５２の孔５２ｄとは対向している（図６参照）。また、イジェクト機構３４のイジェクトボタン３４ａが孔２１１ｅを筐体２１の内部から塞ぐように、ホルダ本体５１の挿入方向Ｙにおいてイジェクトボタン３４ａと孔２１１ｅとが対向している。
【００４６】
ホルダ５を用いてカード２０を筐体２１内のコネクタ３に接続するには、まず、図７に示すように、ホルダ本体５１のカード収容凹部５１ａにカード２０を収容する。カード収容凹部５１ａに収容されたカード２０の端部はホルダ本体５１の突出片５１ｆに支持されるので、ホルダ５を裏返してもカード２０はホルダ本体５１のカード収容凹部５１ａから落下しない。
【００４７】
次に、指で操作部５２をつまんでホルダ５の上面（カード収容凹部５１ａが無い方の面）を上にし、図８に示すように、ホルダ５のホルダ本体５１を筐体２１のホルダ挿入口２１１ａを通じて筐体２１内のコネクタ３に挿入する。
【００４８】
ホルダ本体５１がコネクタ３にある程度挿入された時点で、一旦操作部５２から指を離し、操作部本体５２ａの端面５２ｆ（操作部本体５２ａの端面５２ｅと反対側の面）の中央部を指で押す。ホルダ挿入口２１１ａに対してコネクタ３の位置がずれていない場合、図６、図９に示すように、ホルダ５の操作部５２の操作部本体５２ａは円滑にホルダ挿入口２１１ａの大開口部２１１ｂ内に収容される。このとき、操作部本体５２ａの端面５２ｅの両端部が段差面２１１ｄによって支持されるので、操作部本体５２ａを更に押圧すると操作部本体５２ａは弓なりに変形し、ホルダ本体５１はコネクタ３内に深く挿入される。ホルダ本体５１がコネクタ３に所定量以上挿入されたとき、ホルダ本体５１はイジェクト機構３４のロック部（図示せず）によってロックされ、コネクタ３内に保持される。
【００４９】
最後に、操作部５２から指を離す。操作部５２から指を離すと、操作部本体５２ａはその復帰力によって元の状態に戻り、操作部本体５２ａの端面５２ｆと筐体２１の表面２１１との間に段差がないフラットな状態になる。このとき、弾性部材５３のＹ方向圧縮変形部５３ｂが圧縮されてわずかに弾性変形する（図１１参照）。これは、ホルダ本体５１がコネクタ３に完全に挿入されたとき、操作部５２とホルダ本体５１との間隔が少し広がるようにコネクタ３をプリント基板２２上に配置する設計が採用されているからである。
【００５０】
これに対し、組立誤差等のなんらかの原因により、例えば、ホルダ挿入口２１１ａに対してコネクタ３の位置がホルダ本体５１の幅方向Ｘへずれている場合、ホルダ挿入口２１１ａの小開口部２１１ｃはコネクタ３の開口より大きいので、ホルダ本体５１をコネクタ３の開口に挿入できるが、ホルダ挿入口２１１ａに対する操作部５２の位置はずれる。そのため、操作部５２の操作部本体５２ａの誘い面５２ｃがホルダ挿入口２１１ａの大開口部２１１ｂの周縁部にぶつかるが、図１０に示すように、弾性部材５３の一方のＸ方向圧縮変形部５３ｃが圧縮されて弾性変形するので、操作部５２はホルダ本体５１の幅方向Ｘへ移動する。その結果、操作部本体５２ａはホルダ挿入口２１１ａの大開口部２１１ｂ内に収まり、操作部本体５２ａの端面５２ｆと筐体２１の表面２１１との間に段差ができないフラットな状態が確保される（図６、図９参照）。
【００５１】
ホルダ５をコネクタ３から排出するには、操作部５２の孔５２ｄ及び筐体２１の孔２１１ｅにピン（図示せず）を挿入してイジェクト機構３４のイジェクトボタン３４ａを押せばよい（図１、図６、図９参照）。ピンによってイジェクトボタン３４ａが押されると、イジェクト機構３４はホルダ５をコネクタ３から排出する。
【００５２】
この実施形態によれば、筐体２１のホルダ挿入口２１１ａに対してコネクタ３の位置がずれていても、ホルダ５のホルダ本体５１をコネクタ３に挿入することができるとともに、ホルダ５の操作部５２の操作部本体５２ａがホルダ挿入口２１１ａの大開口部２１１ｂに収容されたとき、操作部５２の操作部本体５２ａとホルダ挿入口２１１ａの大開口部２１１ｂとの間に大きな隙間ができないように、ホルダ挿入口２１１ａを塞ぐことができる。その結果、筐体２１内への塵埃の進入が抑制され、塵埃によるカード２０の電極２０ａとコネクタ３のコンタクトとの接触不良が起こりにくくなり、カード２０とコネクタ３（プリント基板２２）との良好な電気的接続が確保される。
【００５３】
また、ゴムやエラストマ等の材料で形成された弾性部材５３を用いてホルダ５のホルダ本体５１と操作部５２とを三方向へ移動可能に連結したので、例えば金属製のばね片（図示せず）を用いてホルダ本体５１と操作部５２とを三方向へ移動可能に連結する構造のホルダ（図示せず）に比べ、本願発明の実施形態のホルダ５は金属製のばね片を収容する大きなスペースを必要としない分、ホルダの小型化を図ることができる。
【００５４】
更に、操作部５２の操作部本体５２ａの端面５２ｆと筐体２１の表面２１１との間に段差ができないフラットな状態が確保されるとともに、操作部５２の操作部本体５２ａとホルダ挿入口２１１ａの大開口部２１１ｂとの間に大きな隙間ができないので、電子機器の外観の美しさを高めることができる。
【００５５】
なお、上述の実施形態では、操作部５２がホルダ本体５１の挿入方向Ｙ、カード２０の厚さ方向Ｚ、及びホルダ本体５１の幅方向Ｘの三方向へ移動できるように、操作部５２を弾性部材５３を介してホルダ本体５１の端部に連結したが、操作部５２がホルダ本体５１の挿入方向Ｙ、カード２０の厚さ方向Ｚ、ホルダ本体５１の幅方向Ｘのうちの少なくとも一方向（又は二方向）へ移動できるように、操作部５２を弾性部材（図示せず）を介してホルダ本体５１の端部に連結してもよい。
【００５６】
また、上述の実施形態では、操作部５２が弾性変形可能であるが、必ずしも弾性変形可能である必要はない。また、操作部５２の材質は樹脂に限られず金属でもよい。
【００５７】
なお、上述の実施形態では、弾性部材５３に形成した突起部受容孔５３ａにホルダ本体５１の突起部５１ｃを挿入することによって、ホルダ本体５１に弾性部材５３を支持させたが、ホルダ本体５１が弾性部材を支持する構造はこれに限られず、例えば、弾性部材に突起部（図示せず）を設け、この突起部をホルダ本体５１に形成された孔（図示せず）に挿入することによって、ホルダ本体５１に弾性部材を支持させるようにしてもよい。
【００５８】
また、上述の実施形態では、筐体２１内に固定される装置の一例としてコネクタ３を採用するとともに、コネクタ３に接続されるホルダ５が保持する板状のデバイスの一例としてメモリカードやＩＣカードなどのカード２０を採用したが、筐体２１内に固定される装置の他の例として、例えば板状のデバイスに格納された情報を読み出す機能を少なくとも有する駆動装置（図示せず）を採用するとともに、駆動装置に接続されるホルダ（図示せず）が保持する板状のデバイスとして、例えばＤＶＤ（Ｄｉｇｉｔａｌ  Ｖｅｒｓａｔｉｌｅ  Ｄｉｓｋ）等の円板状の記憶媒体（図示せず）を採用してもよい。
【符号の説明】
【００５９】
１：コネクタ装置、３：コネクタ（装置）、３２：シェル、３４：イジェクト機構、３４ａ：イジェクトボタン、５：ホルダ、５１：ホルダ本体、５１ａ：カード収容凹部、５１ｂ：収容凹部、５１ｃ：突起部、５１ｄ：凹部、５１ｅ：凹部、５１ｆ：突出片、５１ｇ：底面、５２：操作部、５２ａ：操作部本体、５２ｂ：連結部、５２ｃ：誘い面、５２ｄ：孔、５２ｅ：端面、５２ｆ：端面、５３：弾性部材、５３ａ：突起部受容孔、５３ｂ：Ｙ方向圧縮変形部、５３ｃ：Ｘ方向圧縮変形部、５３ｄ：変形容易部、５４：固定用プレート、５４ａ：表面、５６：包囲部、２０：カード（板状のデバイス）、２０ａ：電極、２１：筐体、２１１：表面、２１１ａ：ホルダ挿入口、２１１ｂ：大開口部、２１１ｃ：小開口部、２１１ｄ：段差面、２１１ｅ：孔、２２：プリント基板（基板）、Ｘ：ホルダ本体の幅方向、Ｙ：ホルダ本体の挿入方向、Ｚ：カードの厚さ方向（デバイスの厚さ方向）。
【図１】
2014225084.tif 000003
【図２】
2014225084.tif 000004
【図３】
2014225084.tif 000005
【図４】
2014225084.tif 000006
【図５】
2014225084.tif 000007
【図６】
2014225084.tif 000008
【図７】
2014225084.tif 000009
【図８】
2014225084.tif 000010
【図９】
2014225084.tif 000011
【図１０】
2014225084.tif 000012
【図１１】
2014225084.tif 000013
【図１２】
2014225084.tif 000014
【図１３】
2014225084.tif 000015
【図１４】
2014225084.tif 000016
【図１５】
2014225084.tif 000017
【図１６】
2014225084.tif 000018
【図１７】
2014225084.tif 000019
【図１８】
2014225084.tif 000020